(57)【特許請求の範囲】
【請求項１】
繰り出し紐の一端に錘を固着し，繰り出し紐の他端を巻回体に固着して該繰り出し紐を巻回体に巻回し，水面に浮上可能な浮上本体部に巻回体を回転自在に軸支し，浮上本体部に巻回体回転停止手段を設け，浮上本体部に錘の荷重が載荷されている際には巻回体回転停止手段が解除状態にあって巻回体より繰り出し紐が繰り出され，浮上本体部に錘の荷重が載荷されていない場合には，巻回体回転停止手段が動作状態となって巻回体の回転が停止する如く形成した停留マーカーブイであって，浮上本体部に錘の荷重が載荷されている際には浮上本体部が巻回体を下方にして略垂直状態となることで巻回体回転停止手段が解除状態となって巻回体より繰り出し紐が繰り出され，浮上本体部に錘の荷重が載荷されていない際には浮上本体部が略水平状態となることで巻回体回転停止手段が動作状態となって巻回体の回転が停止する如く形成したことを特徴とする停留マーカーブイ。
【請求項２】
繰り出し紐の一端に錘を固着し，繰り出し紐の他端を巻回体に固着して該繰り出し紐を巻回体に巻回し，水面に浮上可能な浮上本体部に巻回体を回転自在に軸支し，浮上本体部に巻回体回転停止手段を設け，浮上本体部に錘の荷重が載荷されている際には巻回体回転停止手段が解除状態にあって巻回体より繰り出し紐が繰り出され，浮上本体部に錘の荷重が載荷されていない場合には，巻回体回転停止手段が動作状態となって巻回体の回転が停止する如く形成した停留マーカーブイであって，浮上本体部に錘の荷重が載荷されている際には浮上本体部が巻回体を下方にして略垂直状態となることで巻回体回転停止手段が解除状態となって巻回体より繰り出し紐が繰り出され，浮上本体部に錘の荷重が載荷されていない際には浮上本体部が略水平状態となることで巻回体回転停止手段が動作状態となって巻回体の回転が停止する如く形成し，巻回体回転停止手段が，巻回体係止ピンと，係止ピン案内ケースとから成り，巻回体係止ピンは係止ピン案内ケース内を移動自在に形成され，該係止ピン案内ケースは前記浮上本体部に固着され，浮上本体部が巻回体を下方にして略垂直状態となることで巻回体係止ピン全体が係止ピン案内ケース内に収納されて巻回体より繰り出し紐が繰り出され，浮上本体部が略水平状態となることで巻回体係止ピンの先端部が係止ピン案内ケースより突出して巻回体に付勢状態で当接し巻回体の回転を停止する如く形成したことを特徴とする停留マーカーブイ。
【発明の詳細な説明】
【技術分野】
【０００１】
本発明は，海・川・湖において釣り舟やレジャーボート等で移動しながら例えば魚群探知機等によって探り当てた絶好の釣りポイントに投下するマーカーブイに関し，特に投下したそのポイントに浮上状態で留まる停留マーカーブイに関する。
【背景技術】
【０００２】
従来，海・川・湖等において探り当てた釣りポイントには，目印となるマーカーブイを投下し，例え自身が乗っている釣り船やレジャーボートが移動していても，その釣りポイントが不明とならないように成している。該マーカーブイとしては，水面に浮上可能な一対のフロートと本体部の間に巻取り部を設け，この巻取り部に，先端に重りのついた紐を巻きつけるようにしたマーカーブイであって，前記巻取り部と一方側のフロート本体部は係脱自在にされ，係合を外した状態で，前記巻取り部が一方側のフロート本体部に対して巻取り軸廻りに回転可能とされることを特徴とするマーカーブイが提案されている（特許文献１）。
【０００３】
また，釣りのポイントに投下するマーカーブイと同等の機能を有するものとして，海上において船舶の沈没事故等において遭難者の救助に利用する浮標であって，ＧＰＳ（Ｇｌｏｂａｌ  Ｐｏｓｉｔｉｏｎｉｎｇ  Ｓｙｓｔｅｍ）技術を利用したものとして，自己の所在位置を検知する自己位置検知手段と、該自己位置検知手段により検知した自己位置に関する情報を送信する自己位置情報送信手段とが備えられた自己位置情報送信浮標が提案されている（特許文献２）。
【先行技術文献】
【特許文献】
【０００４】
【特許文献１】特開平１０−３０５７９５号公報
【特許文献２】特開平５−１９３５５４号公報
【０００５】
特許文献１に係るマーカーブイは，釣りのポイントに該マーカーブイを投下すると，投下位置においてフロート本体部が浮遊した状態で重りが水中を落下し，該重りの落下に伴って，重りに繋がれた紐が巻取り部から繰り出される。しかし，重りが水底に達して落下を停止しても，巻取り部に巻き付けられた紐は繰り出されることが可能な状態にあり，例えば水面上の風が強く，また水の流れが速い場合は、断続的に巻取り部から紐が繰り出されながらフロート本体部が風や水の流れによって水面上を移動する。このため，本来の投下点から離れた位置に，目印となるフロート本体部が移動して浮遊し，その結果どこがマーカーブイを投下した位置で本来の釣りのポイントであったかが判らなくなる場合があるという課題がある。
【０００６】
また，特許文献２の自己位置情報送信浮標は，ＧＰＳ技術を利用するため、数メートルから数十メートルの誤差が生じ，釣りのポイントのようなきわめて正確な位置情報を必要とする場合にはその誤差は大きな誤差となって使用することが出来ず，また高価で且つ故障し易い場合があるという課題がある。
【発明の概要】
【発明が解決しようとする課題】
【０００７】
本発明が解決しようとする課題は，水上での風が強く，また水の流れが早くて強い場合であっても，投下した位置から流されることなく，その位置に浮上状態で停留し，また，ＧＰＳ技術を利用した自己位置情報送信浮標のように，元来そのシステムの精度上解消できない大きな誤差を生じることの無い停留マーカーブイを提供し，特に機構がシンプルで故障することがなく，低廉な停留マーカーブイを提供することにある。
【課題を解決するための手段】
【０００８】
請求項１記載の発明は，繰り出し紐の一端に錘を固着し，繰り出し紐の他端を巻回体に固着して該繰り出し紐を巻回体に巻回し，水面に浮上可能な浮上本体部に巻回体を回転自在に軸支し，浮上本体部に巻回体回転停止手段を設け，浮上本体部に錘の荷重が載荷されている際には巻回体回転停止手段が解除状態にあって巻回体より繰り出し紐が繰り出され，浮上本体部に錘の荷重が載荷されていない場合には，巻回体回転停止手段が動作状態となって巻回体の回転が停止する如く形成した停留マーカーブイであって，浮上本体部に錘の荷重が載荷されている際には浮上本体部が巻回体を下方にして略垂直状態となることで巻回体回転停止手段が解除状態となって巻回体より繰り出し紐が繰り出され，浮上本体部に錘の荷重が載荷されていない際には浮上本体部が略水平状態となることで巻回体回転停止手段が動作状態となって巻回体の回転が停止する如く形成したことを特徴とする停留マーカーブイを提供する。
【０００９】
請求項２記載の発明は，繰り出し紐の一端に錘を固着し，繰り出し紐の他端を巻回体に固着して該繰り出し紐を巻回体に巻回し，水面に浮上可能な浮上本体部に巻回体を回転自在に軸支し，浮上本体部に巻回体回転停止手段を設け，浮上本体部に錘の荷重が載荷されている際には巻回体回転停止手段が解除状態にあって巻回体より繰り出し紐が繰り出され，浮上本体部に錘の荷重が載荷されていない場合には，巻回体回転停止手段が動作状態となって巻回体の回転が停止する如く形成した停留マーカーブイであって，浮上本体部に錘の荷重が載荷されている際には浮上本体部が巻回体を下方にして略垂直状態となることで巻回体回転停止手段が解除状態となって巻回体より繰り出し紐が繰り出され，浮上本体部に錘の荷重が載荷されていない際には浮上本体部が略水平状態となることで巻回体回転停止手段が動作状態となって巻回体の回転が停止する如く形成し，巻回体回転停止手段が，巻回体係止ピンと，係止ピン案内ケースとから成り，巻回体係止ピンは係止ピン案内ケース内を移動自在に形成され，該係止ピン案内ケースは前記浮上本体部に固着され，浮上本体部が巻回体を下方にして略垂直状態となることで巻回体係止ピン全体が係止ピン案内ケース内に収納されて巻回体より繰り出し紐が繰り出され，浮上本体部が略水平状態となることで巻回体係止ピンの先端部が係止ピン案内ケースより突出して巻回体に付勢状態で当接し巻回体の回転を停止する如く形成したことを特徴とする停留マーカーブイを提供する。
【発明の効果】
【００１１】
本発明の停留マーカーブイは，海・川・湖等において探り当てた釣りポイントに投下すると，浮上本体部は水面に浮上し錘はその下方の水中にあって，浮上本体部には錘の荷重が載荷された状態になる。この状態では巻回体回転停止手段は解除状態にあるため，巻回体は回転自在であり，順次，該巻回体に巻回された繰り出し紐は，錘の水底に向かっての落下により，下方に繰り出される。次に錘が水底に達して，錘の荷重が浮上本体部に積載されていない状態となると，浮上本体部は水面で水平状態となり，巻回体回転停止手段が動作して巻回体の回転が停止する。巻回体の回転が停止されると，その位置で繰り出し紐はそれ以上繰り出されることがなく，この結果水面に浮上状態にある浮上本体部の動きは,水底にある錘と，水深とほぼ同等長さに繰り出された繰り出し紐によって拘束される効果がある。このため浮上本体部は,風や水の流れによって流されることがなく，投下された釣りポイントに停留する効果があり，釣り人が釣り船やレジャーボートで移動しても，該釣りポイントを確実に浮上本体部によって表示して釣り人等に覚知させることが出来る効果がある。
【００１２】
また，魚を獲ることを職業とする漁師が，本発明である停留マーカーブイを，例えば定置網の敷設作業時の目印となる位置に投下すれば，本停留マーカーブイの浮上本体部によって該投下位置を安定的に表示することが出来る効果がある。
【００１３】
さらには，本発明に係る複数の停留マーカーブイを水上バイク等の走行レーンに一定間隔で投下すれば，水面上に容易に該走行レーンを点表示することが出来る効果がある。
【図面の簡単な説明】
【００１４】
【図１】本発明に係る停留マーカーブイの全体を示した斜視図である。
【図２】本発明に係る停留マーカーブイの繰り出し紐巻き取りレンチが着脱する状態を示した斜視図である。
【図３】本発明に係る停留マーカーブイの側面図であり，水面に浮上している一時的な状態を示す側面状態図である。
【図４】本発明に係る停留マーカーブイの浮力調整体について，その内部の状態を示す側面状態図であり，水面に浮上している一時的な状態を示す側面状態図である。
【図５】本発明に係る停留マーカーブイの浮上本体部に回転自在に軸支された巻回体の状態を示す断面状態図である。
【図６】本発明に係る停留マーカーブイの係止ピン案内ケース内に設けられた仕切り板を示した係止ピン案内ケースの断面状態図である。
【図７】本発明に係る停留マーカーブイが水中に投下された後，錘が水中において着底するまでの間，浮上本体部が略垂直状態に保持されていることを示した全体状態図である。
【図８】本発明に係る停留マーカーブイが水中に投下された後，錘が水中において着底するまでの状態において，係止ピン案内ケース内の状態を示す部分断面状態図である。
【図９】本発明に係る停留マーカーブイが水中に投下された後，錘が水中において着底した後，浮上本体部が略水平状態に保持されている状態を示す全体状態図である。
【図１０】本発明に係る停留マーカーブイの巻回体回転停止手段である係止ピン案内ケース内の動作状態を示す拡大部分断面状態図である。
【図１１】本発明に係る停留マーカーブイの巻回体と巻回体回転停止手段の関係状態を示す拡大斜視図である。
【図１２】本発明に係る停留マーカーブイが水中に投下され錘が水中に着底後，例えば満ち潮等で水位が増加して停留マーカーブイが除々に略水平状態から略垂直状態に変化しつつある状態を示した全体状態図である。
【図１３】本発明に係る停留マーカーブイが水中に投下され錘が水中に着底後，例えば引き潮等で水位が下降した場合の停留マーカーブイの位置の変化を示した全体状態図である。
【発明を実施するための形態】
【００１５】
次に本発明に係る停留マーカーブイを実施するための形態について説明する。
図１乃至図１３に基づき，停留マーカーブイの一実施例である実施例１について詳細に説明する。
【実施例１】
【００１６】
図１は，本発明に係る停留マーカーブイ３０の全体を示した斜視図であり，該停留マーカーブイ３０は，大きく分けて，浮上本体部７と巻回体２と一対の巻回体回転停止手段１０，１０とから成っている。
【００１７】
巻回体２は円柱状の芯体２ｂと，芯体２ｂの両端面に固着された一対のフランジ部２ａ，２ａとから成り，芯体２ｂには繰り出し紐３の一端が固着されている。繰り出し紐３の他端には錘１が固着され，釣りをする際の水深長以上の長さの繰り出し紐３が該巻回体２の芯体２ｂに巻回されている。芯体２ｂ及びフランジ部２ａ，２ａには図５に示すように，中心部に軸８が固着され，該軸８は浮上本体部７の構成部材である一対の長板状の側面板５，５に回転自在に遊嵌され，結果として巻回体２は浮上本体部７に回転自在に軸支されている。
【００１８】
錘１は釣り用の鉛製で十分であるが、水底の状態により使い分けることが出来る。例えば水底が砂地の場合は，引きずられにくい形状のものを使用し、水底が岩場の場合、根掛かりしにくい形状のものを用いる。錘１の重量は，本発明である停留マーカーブイ３０を水中に投入後、錘１が水底に着底するまでの間，図７に示すように，浮上本体部７の浮力との関係で，該浮上本体部７が水面に対し略垂直状態となる重量が適している。
【００１９】
浮上本体部７が略垂直状態になることで，錘１は本発明である停留マーカーブイ３０を投下した狙いのポイントの真下にスムーズに落下する。また錘１が着底して錘１の荷重が浮上本体部７に載荷されていない場合は,浮上本体部７は図９の略水平状態，又は浮力調整箱体７ａが図９において繰り出し紐案内板４の右側になるような図９で表された状態と対称の略水平状態となるように形成され，浮上本体部７がこのように略水平状態となることにより，本発明の停留マーカーブイ３０の水面上に現れている部分が大きくなり，水上の釣り船やレジャーボートに乗っている釣り人等に視認されやすくなる。
【００２０】
繰り出し紐３は，水深の浅い場所で使用する場合、綿、ナイロン等特別にその材質は問わないが、水深の深い場所で使用する場合には０、１７ｍｍ程度の直径で十分な強度を持つポリエチレン製が繰り出された長さ変化がないため適している。
【００２１】
浮上本体部７は，浮力調整箱体７ａと連結板７ｄと隙間調整板５ａ，５ａと前記一対の側面板５，５によって形成され，浮力調整箱体７ａは断面略正方形状の長筒状であって，その一側面の中央部に連結板７ｄの端面が固着されている。連結板７ｄの他端両側面には隙間調整板５ａ，５ａを介して側面板５，５の一端が固着されている。隙間調整板５ａ，５ａは，側面板５，５間を所定距離に保つために設けられ，側面板５，５の間には前記巻回体２が軸支されている。
【００２２】
側面板５，５の他端には繰り出し紐案内板４の片側面の両端部がそれぞれ固着され，繰り出し紐案内板４の中央部には繰り出し紐案内穴４ａが穿設されている。該繰り出し紐案内穴４ａには前記繰り出し紐３が挿通されている。
【００２３】
浮力調整箱体７の内部は中空状態に形成され，本実施例では，図４に示すように，端部にバランス重り７ｃを設け，その余の空間には浮力の高い発泡スチロール片７ｂが内設され，浮上本体部７全体が水面に浮上可能に形成している。またバランス重り７ｃは，浮上本体部７と巻回体２と一対の巻回体回転停止手段１０，１０とから成る本発明の停留マーカーブイ３０の一実施例において，図４によって表された面が水平面と成って水面上に浮上した場合，側面板５，５の短辺の中央部であって側面板５，５の長辺方向に延びる線を中心として，その左右のバランスを保つ役割も有している。つまり側面板５の片側に設けられた一対の巻回体回転停止手段１０，１０による釣り合いの崩れをバランス重り７ｃにて打ち消すように形成している。
【００２４】
本実施例の停留マーカーブイ３０においては，水中に投下直後に浮上本体部７が略垂直状態となり，その後錘１が水底１１に達して浮上本体部７が略水平状態となるための姿勢変化の方向は，ほとんどの場合，巻回体回転停止手段１０、１０である後述の係止ピン案内ケース１０ｉとこれが固着されている補助板６，６が，姿勢の変化の際に受ける水の抵抗が少なくなるような方向（巻回体回転停止手段１０，１０が水平面に対して略垂直方向に配置される方向）であり，この姿勢変化によって，停留マーカーブイ３０は図９及び図１０に図示される姿勢又はこれと左右対称の姿勢で水上に浮かんだ状態でバランスする。
【００２５】
しかし，本実施例の停留マーカーブイ３０は，万が一にでも，図３又は図４に示すような，巻回体回転停止手段１０，１０が略水平面となる姿勢で一時的に浮上本体部７が略水平状態になっても，直ちに該姿勢から９０度回転して図９及び図１０に図示される姿勢で水上に浮かんだ状態でバランスするように形成されている。
【００２６】
つまり，浮上本体部７に錘１の荷重が載荷されてなく，一時的に，図３においては巻回体回転停止手段１０，１０が水面９の上方にある状態で，図４においては巻回体回転停止手段１０，１０が水面９の下方にある状態で浮上しているときは、喫水線が，側面板５，５の短辺の中央部であって側面板５，５の長手方向に延びる線と略重なるように全体の浮力が調整されている。このため，図４のような，巻回体回転停止手段１０，１０が水面９の下方にある状態で一時的に浮上本体部７全体が水面９上にあるときは，本実施例の停留マーカーブイ３０の重心は，バランス重り７ｃによって該喫水線より上に位置し，浮力の中心は逆に下に位置するようになる。この状態は極めて不安定であり，また下記に記載のように，本実施例では，一対の巻回体回転停止手段１０，１０の一の巻回体回転停止手段１０の重さを他の一の巻回体回転停止手段１０より重く形成しているため，重量が重い方の巻回体回転停止手段１０に回転させようとする力，すなわち回転モーメントが加わる。該回転モーメントにより，本発明の停留マーカーブイ３０は，素早く９０度回転して図９及び図１０に示された状態となりバランスする。
【００２７】
一方，本発明に係る停留マーカーブイ３０が一時的に図３に示すような，巻回体回転停止手段１０，１０が水面９の上方にある状態にあって，浮上本体部７に錘１の荷重が載荷されずに水面９上にあるときは、一対の巻回体回転停止手段１０，１０が水面９よりも上部に位置するように浮上本体部７の浮力が調整されている。また本実施例では，一対の巻回体回転停止手段１０，１０の一の巻回体回転停止手段１０の重さを他の一の巻回体回転停止手段１０より重く形成しているため，重量が重い方の巻回体回転停止手段１０に回転させようとする力，すなわち回転モーメントが加わる。該回転モーメントにより，本発明の停留マーカーブイ３０は，その状態から素早く９０度回転し，その結果，一対の巻回体回転停止手段１０，１０の全荷重とバランス重り７ｃが，上述のように，側面板５，５の短辺の中央部であって側面板５，５の長辺方向に延びる線を中心とした水平方向でバランスを保ち，図９及び図１０で示された状態となる。図９及び図１０に示された状態は，バランス上，最も安定であるため，さらに９０度回転することはない。
【００２８】
なお本実施例においては，上述のように一対の巻回体回転停止手段１０，１０の一の巻回体回転停止手段１０の重量を重くして，水面上で錘１の重量が浮上本体部７に載荷されないときであって，万が一，浮上本体部７が図３又は図４の状態で一時的に水面上にあるときであっても，その状態から素早く９０度回転して図９及び図１０に示す状態となって安定したバランスを保つように形成しているが，一対の巻回体回転停止手段１０，１０以外の他の部材の重量を適宜に配分して，水面上で錘１の重量が浮上本体部７に載荷されないときには，該浮上本体部７が図９及び図１０の状態になるように９０度回転する如く形成してもよいのは勿論である。
【００２９】
また，本発明である停留マーカーブイ３０を水中に投下した際であって，錘１が水中を落下し，浮上本体部７に該錘１の荷重が載荷されているときは、浮力調整箱体７ａ内の発泡スチロール片７ｂの浮力によって，浮上本体部７は図７のように巻回体２を下方とした略垂直状態に成るように全体の浮力が調整されている。
【００３０】
巻回体回転停止手段１０、１０は，一対設けられていて，それぞれ主として巻回体係止ピン１０ａとこれを収納する係止ピン案内ケース１０ｉとから成り，該係止ピン案内ケース１０ｉは略三角形状の補助板６，６の平面部に固着され，該補助板６，６は，浮上本体部７を形成する側面板５，５の長辺方向に延びる長側面５ｂ，５ｂに固着されている。
【００３１】
本実施例では巻回体回転停止手段１０，１０が一対設けられているが，このように一対設けた理由は，ほとんどの場合は，浮上本体部７は図７のように巻回体２を下方とした略垂直状態から，直ちに図３又は図４に示される面が略水平となるようにして水面に浮上することに対応したものである。つまり，一対の巻回体回転停止手段１０，１０の任意のどちらかの一の巻回体回転停止手段１０が水面より下に位置し，他の一の巻回体回転停止手段１０が水面より上に位置して，一対の巻回体回転停止手段１０，１０が水平面に対し略垂直方向となって水面上で浮上状態でバランスすることに対応したものである。
【００３２】
これによって，一対の巻回体回転停止手段１０，１０のどちらが水面の上に出た場合であっても，必ず巻回体２の回転が停止する。
【００３３】
係止ピン案内ケース１０ｉは，図８に示すように補助板６，６と同様に一対設けられ，それぞれ一端は閉じられ，他端は巻回体係止ピン１０ａの先端部１０ｋが突出するように開放されている。
【００３４】
巻回体係止ピン１０ａは釘型状に形成され，その後端部１０ｊには連結紐１０ｈの一端が固着され，連結紐１０ｈの他端には係止解除重り１０ｃが固着されている。巻回体係止ピン１０ａ，係止解除重り１０ｃ及び連結紐１０ｈは共に係止ピン案内ケース１０ｉ内に収納されているが，係止解除重り１０ｃは係止ピン案内ケース１０ｉの閉鎖端部室１０ｄ内を，連結紐１０ｈの長さで拘束される範囲内で移動自在に収納され，巻回体係止ピン１０ａは開放端部室１０ｂ内に移動自在に収納されている。係止ピン案内ケース１０ｉは，図８及び図６に示すように，閉じられている側が閉鎖端部室１０ｄ，開放されている側が開放端部室１０ｂと成るように，略中央部に仕切り板１０ｆが内設され，該仕切り板１０ｆの中央部には長孔１０ｇが穿設され，該長孔１０ｇには前記連結紐１０ｈが挿通されている。
【００３５】
本実施例においては，巻回体係止ピン１０ａがスムーズに開放端部室１０ｂ内を移動できるように，フランジ部２ａに近接する側の開放端部室１０ｂの底面１０ｎの角度がフランジ部２ａに対して４５〜６５度に形成され，また係止解除重り１０ｃが閉鎖端部室１０ｄ内をスムーズに移動するように該閉鎖端部室１０ｄの閉鎖端部側の底面１０ｍとフランジ部２ａとの角度を２５度に形成している。なお，これらの角度は巻回体係止ピン１０ａ及び係止解除重り１０ｃがスムーズに開放端部室１０ｂ又は閉鎖端部室１０ｄ内を移動し，浮上本体部７が略垂直状態にあるときは巻回体停止ピン１０ａ全体が係止ピン案内ケース１０ｉ内に収納され，浮上本体部７が略水平状態にあるときは，巻回体係止ピン１０ａの先端部１０ｋが係止ピン案内ケース１０ｉより突出して，巻回体係止ピン１０ａの重量の作用による付勢状態で，巻回体２の回転を停止することが可能であれば他の角度であってもよい。
【００３６】
係止ピン案内ケース１０ｉ内はこのように形成されているため，巻回体係止ピン１０ａは閉鎖端部室１０ｄに移動することがなく，また係止解除重り１０ｃは開放端部室１０ｂに移動することがない。このような構成により，巻回体係止ピン１０ａと係止解除重り１０ｃとが係止ピン案内ケース１０ｉ内で互いに重なり合ってそれぞれが移動不可能になることが防止されている。
【００３７】
一方，前記巻回体２の一対のフランジ部２ａの外側側面部には図１及び図５に示すように巻回体停止突起片１０ｅがそれぞれ立設され，該巻回体停止突起片１０ｅは，図１，図５，図１０，及び図１１に示すように，係止ピン案内ケース１０ｉの開放端部室１０ｂからその先端部１０ｋを突出させた巻回体係止ピン１０ａと，該巻回体係止ピン１０ａの重量の作用による付勢状態で係合するように成っている。巻回体係止ピン１０ａと巻回体停止突起片１０ｅが係合状態になった場合は，巻回体２の回転が停止し，該巻回体２の回転停止により，巻回体２に巻回された繰り出し紐３がさらに繰り出されることが防止される。
【００３８】
なお，浮上本体部７には，反射テープを貼着したり蛍光塗料を塗布する等により遠く離れた場所からでも確認できるようにして視認性を高めることが望ましい。
【００３９】
本発明である停留マーカーブイ３０の一実施例は上記のように構成されているが，次にその使用方法及び動作について詳述する。
【００４０】
まず，船舶上等において、浮上本体部７を繰り出し紐案内板４側を下にして水面９に対し垂直状態で、例えば釣りポイントに錘１と共に投下する。投下された本発明に係る停留マーカーブイ３０は錘１が水底に着底するまで図７及び図８のように浮上本体部７が水面９に対し略垂直状態となる。この状態では巻回体回転停止手段１０の巻回体係止ピン１０ａは係止ピン案内ケース１０ｉ内に収納されていて，このため巻回体係止ピン１０ａが巻回体停止突起片１０ｅに係合することがなく，巻回体回転停止手段１０は解除状態となり，巻回体２に巻回された繰り出し紐３は錘１の落下と共に連続して水中に下方向に繰り出される。
【００４１】
次に，錘１が水中を落下して数秒の間に水底に着底すると，浮上本体部７は上述のように水面９に対して平行状態，すなわち図９の水平状態，又は浮力調整箱体７ａが図９において繰り出し紐案内板４の右側になるような図９で表された状態と対称の水平状態となる。
【００４２】
この状態では一対の巻回体回転停止手段１０，１０である係止ピン案内ケース１０ｉ，１０ｉは水平面に対して垂直状態でバランスするように成っているため，一対の係止ピン案内ケース１０ｉ，１０ｉのうちの水面より上にある一の係止ピン案内ケース１０ｉ内の係止解除重り１０ｃは，図８に示すような閉鎖端部室１０ｄ内の奥部の位置から，図１０に示すように仕切り板１０ｆに当接するまで移動する。
【００４３】
係止解除重り１０ｃが仕切り板１０ｆまで移動すると連結紐１０ｈの緊張が解かれ，巻回体係止ピン１０ａが，図１０に示すように係止ピン案内ケース１０ｉの開放端部室１０ｂ内をその重量によって滑り落ちるようにして移動し，先端部１０ｋが係止ピン案内ケース１０ｉの開放端部室１０ｂより突出する状態となる。
【００４４】
巻回体係止ピン１０ａの先端部１０ｋが開放端部室１０ｂより突出すると，図１１に示すように該先端部１０ｋと巻回体２のフランジ部２ａに立設された巻回体停止突起片１０ｅが係合し，巻回体２の回転が停止し，巻回体回転停止手段１０が動作状態となる。この状態では巻回体２の回転は停止されているので，巻回体２の芯体２ｂに巻回された繰り出し紐３は，それ以上に繰り出されることがない。これらの動作により，浮上本体部７は，水底にある錘１と，その位置の水深長と同等長さに繰り出された繰り出し紐３によって動きが拘束され，その後に水流や水面上で強い風を受けても，浮上本体部７が流されて移動することがない。
【００４５】
本発明に係る停留マーカーブイ３０を使用後，回収する際には，図２に示すように，繰り出し紐巻き取りレンチ１２の角形穴１２ａを巻き取りレンチ着脱頭部１３へ嵌め込む。該巻き取りレンチ着脱頭部１３は，図２，図３及び図５に示すように，側面板５より突出させて設けた軸８と一体に設けられていて，繰り出し紐巻き取りレンチ１２を回転させることにより巻回体２を回転させ，繰り出された繰り出し紐３を巻回体２の芯体２ｂに巻き取ることができる。
【００４６】
以上が本発明に係る停留マーカーブイ３０の使用方法及び動作であるが，補足として本発明の停留マーカーブイ３０を所定のポイントに投下後，長時間放置した場合等に，水位が潮汐作用等により変化した場合の状態について説明する。
【００４７】
本発明の停留マーカーブイ３０を水中に投下後，水位が上昇した場合を示したのが図１２である。１１は水底である。この場合錘１を本発明の停留マーカーブイ３０全体の浮力より大きな重量に形成することにより，浮上本体部７の姿勢は水位の上昇と共に略垂直状態へと変化する。姿勢の変化により，水面側にある巻回体回転停止手段１０の係止解除重り１０ｃが，閉鎖端部室１０ｄ内を仕切り板１０ｆ側から奥部の閉鎖端部方向に転動すると，係止解除重り１０ｃに固着された連結紐１０ｈが緊張状態となる。連結紐１０ｈが緊張状態となると巻回体係止ピン１０ａが係止解除重り１０ｃの重量により巻回体停止突起片１０ｅとの係合を解く方向に引っ張られる。これにより巻回体係止ピン１０ａと巻回体停止突起片１０ｅは強制的にその係合が解除され，巻回体２は自由に回転することができる状態となる。
【００４８】
巻回体２が回転自由となると芯体２ｂに巻回された繰り出し紐３が繰り出される。繰り出し紐３が繰り出されると浮上本体部７は再び図９の水平状態，又は当初の状態が，浮力調整箱体７ａが図９において繰り出し紐案内板４の右側になるような図９で表された状態と対称の水平状態にあった時はその状態になり，再び一の巻回体回転停止手段１０が動作して上述のように巻回体２の回転が停止する。このような動作によって，浮上本体部７は水没することなく水面上に水平状態で浮いた状態となって，その投下されたポイントを表示する。
【００４９】
図１２において符号１６は上昇した水位を示している。上昇した水位１６が一の巻回体回転停止手段１０の動作が解除される長さに達した際に，巻回体２が回転自由になる。該巻回体回転停止手段１０の動作解除は，係止ピン案内ケース１０ｉ，特に本実施例では閉鎖端部室１０ｄ及び底面１０ｐのフランジ部２ａに対する設置角度によって調整可能である。例えば図１２の状態のように，水面側にある巻回体回転停止手段１０の閉鎖端部室１０ｄの底面１０ｐが水平より下降する角度となったときに巻回体回転停止手段１０の係止ピン１０ａが巻回体停止突起片１０ｅよりはずれて巻回体２の回転が自由となる。したがって，より小さな上昇水位１６で繰り出し紐３を繰り出して，浮上本体部７を略水平状態にしたい場合には，閉鎖端部室１０ｄ及び底面１０ｐのフランジ部２ａに対する角度をより浅い角度に設定すればよい。
【００５０】
このように閉鎖端部室１０ｄ及び底面１０ｐのフランジ部２ａに対する角度をより浅い角度に設定することで，浮上本体部７が略垂直状態ではない角度の姿勢で錘１の荷重の一部が浮上本体部７に載荷されている場合にも，巻回体２より繰り出し紐３を繰り出すように構成することが出来る。
【００５１】
なお，本発明の停留マーカーブイ３０の実施例において，巻回体回転停止手段１０，１０を動作状態に成すに当たって，浮上本体部７が出来るだけ水平状態に近くなった時に該巻回体回転停止手段１０，１０を動作させるには，上記と同様の考え方で，閉鎖端部室１０ｄ及び底面１０ｐのフランジ部２ａに対する角度をより浅い角度に設定すればよい。
【００５２】
次に，本発明の停留マーカーブイ３０を水中に投下後，水位が低下した場合について説明する。水位の低下状態を示したのが図１３である。１１は水底である。水位が低下した場合は浮上本体部７が水没することはないが，当初表示していた投下ポイントが大きくずれる場合がある。
【００５３】
図１３に示すように水位が９より９ａに例えば２ｍ低下すると浮上本体部７の当初表示位置１８は，円弧２１上を移動して移動表示位置１９まで移動する場合がある。つまり図１３において水平距離で６ｍ移動することになる。この水平移動距離を少なくするためには，錘１より上方位置の繰り出し紐３上にサブ錘１７を設ける。水位が低下するとサブ錘１７は最大、円弧２２上を移動してサブ錘移動位置１７ａまでその位置を変える。サブ錘移動位置１７ａの上方の水面２０には浮上本体部７が水平状態となって，その位置を表示する。結局，その表示位置と当初表示位置との差は，円弧２２と等しい円弧２３によって決定され，図１３においては２ｍとなる。このようにサブ錘１７を錘１から所定距離の繰り出し紐３上に設けることにより，水位低下による表示位置の移動をより少なくすることが出来る。
【００５４】
以上本発明に係る停留マーカーブイ３０の一実施例について図1乃至図１３に基づいて説明したが，係る実施例は機械的に動作する部材を用いて構成したものである。機械的な動作だけで本発明を実施することで，水に濡れても誤動作が無く，また防水処置をする必要がないので低廉に実施することが出来る。
【符号の説明】
【００５６】
１      錘                              
２      巻回体                          
２ａ    フランジ部
２ｂ    芯体
３      繰り出し紐                              
４      繰り出し紐案内板
４ａ    繰り出し紐案内孔
５      側面板
５ａ    隙間調整板
５ｂ    長側面                      
６      補助板                          
７      浮上本体部
７ａ    浮力調整箱体
７ｂ    発泡スチロール片
７ｃ    バランス重り
７ｄ    連結板                      
８      軸
９，９ａ    水面                      
１０    巻回体回転停止手段                                        
１０ａ  巻回体係止ピン                      
１０ｂ  開放端部室    
１０ｃ  係止解除重り                      
１０ｄ  閉鎖端部室    
１０ｅ  巻回体回転停止突起片                  
１０ｆ  仕切り板
１０ｇ  長孔
１０ｈ  連結紐
１０ｉ  係止ピン案内ケース
１０ｊ  後端部
１０ｋ  先端部
１０ｍ  底面
１０ｎ  底面
１０ｐ  底面
１１    水底
１２    繰り出し紐巻き取りレンチ
１２ａ  角形穴
１３    巻き取りレンチ着脱用頭部
１６    上昇水位
１７    サブ錘
１７ａ  サブ錘移動位置
１８    当初表示位置
１９    移動表示位置
２０    １７ａの上方の水面
２１    円弧
２２    円弧
２３    円弧
３０    停留マーカーブイ
【図６】
0005330462.tif 000002
【図１２】
0005330462.tif 000003
【図１３】
0005330462.tif 000004
【図１】
0005330462.tif 000005
【図２】
0005330462.tif 000006
【図３】
0005330462.tif 000007
【図４】
0005330462.tif 000008
【図５】
0005330462.tif 000009
【図７】
0005330462.tif 000010
【図８】
0005330462.tif 000011
【図９】
0005330462.tif 000012
【図１０】
0005330462.tif 000013
【図１１】
0005330462.tif 000014